【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
特定の平面上に形成した画像内における所定領域の動きを複数フレームの入力画像信号を用いて検出する動き検出手段と、
前記動き検出手段で検出された動きに基づいて、前記所定領域を分類して分類結果を示す情報を生成するレイヤ化処理手段と、
前記分類情報と前記複数フレームの入力画像信号に基づいて、前記入力画像信号中の注目フレームと同一時間であると共に、前記注目フレームの画像と画角の異なる周辺画像の画像信号を生成する周辺画像信号生成手段とを有する
ことを特徴とする画像処理装置。
【請求項２】
前記入力画像信号に基づく画像と前記特定の平面上に形成した画像は、同一平面上の画像である
ことを特徴とする請求項１記載の画像処理装置。
【請求項３】
少なくとも１つの拘束条件を満たす動きを生ずる基準動画像の画像信号を用いて、前記拘束条件を利用することにより前記基準動画像の画面毎に画面内の画像端部領域の動きを検出する動き検出手段と、
前記動き検出手段で検出された動きに基づいて、前記所定領域のレイヤを決定してレイヤ情報を生成するレイヤ化処理手段と、
前記レイヤ化処理手段で生成されたレイヤ情報と前記画像端部領域の画像信号を用いて信号処理を行い、前記基準動画像と同一時間であると共に、前記基準動画像に対応した周辺動画像の画像信号を生成する周辺画像生成手段とを備える
ことを特徴とする画像処理装置。
【請求項４】
前記動き検出手段では、前記画像端部領域に複数の動き検出領域を設定して、前記動き検出領域毎に動きを検出する
ことを特徴とする請求項３記載の画像処理装置。
【請求項５】
前記１つの拘束条件は、前記画像の動きが所定位置を中心とした放射方向である
ことを特徴とする請求項４記載の画像処理装置。
【請求項６】
前記動き検出手段では、前記所定位置を中心として前記動き検出領域の画像をズームさせながら前画面の画像との誤差値を算出して、該算出された誤差値に基づいて動きを判別する
ことを特徴とする請求項５記載の画像処理装置。
【請求項７】
前記周辺画像生成手段では、前記信号処理は、画面順序に応じてなされる
ことを特徴とする請求項３記載の画像処理装置。
【請求項８】
前記周辺画像生成手段では、前記動き検出手段の検出結果に基づき、前記画像端部領域をレイヤ分けするものとして、レイヤ毎に画面順序に応じた信号処理を行うことにより周辺動画像の画像信号を生成する
ことを特徴とする請求項３記載の画像処理装置。
【請求項９】
前記周辺画像生成手段では、前記動き検出手段の検出結果に基づいて前記レイヤ毎に移動量を設定し、前記レイヤ分けされた画像端部領域の画像を、対応するレイヤの前記移動量に応じて抽出し、該抽出した画像をレイヤ単位で貼り付ける信号処理を行う
ことを特徴とする請求項８記載の画像処理装置。
【請求項１０】
前記周辺画像生成手段では、前記レイヤ単位の貼り付け処理として、移動量の少ないレイヤから移動量の大きいレイヤへと順に貼り付けを行う
ことを特徴とする請求項９記載の画像処理装置。
【請求項１１】
前記周辺画像生成手段では、既に貼り付けが行われた各レイヤの画像を前記レイヤ毎に設定された移動量に応じて移動させると共に、移動後の画像に前記抽出した画像を加えてから前記レイヤ単位で貼り付ける処理を画面順に行う
ことを特徴とする請求項９記載の画像処理装置。
【請求項１２】
前記周辺画像生成手段では、前記レイヤ単位での貼り付け処理によって画像に隙間部分を生じたときには、隙間部分の画像の画像信号を補間処理によって生成する
ことを特徴とする請求項９記載の画像処理装置。
【請求項１３】
前記周辺画像生成手段では、前記補間処理として、前記隙間部分の後方側に位置する画像をレイヤ移動方向に延長して前記隙間領域の画像の画像信号を生成する
ことを特徴とする請求項１２記載の画像処理装置。
【請求項１４】
前記周辺画像生成手段では、前記抽出した画像をレイヤ単位で貼り付ける信号処理を行うことにより得られた信号に対して、前記周辺動画像の投影面の向きに応じた信号変換処理を行う
ことを特徴とする請求項９記載の画像処理装置。
【請求項１５】
特定の平面上に形成した画像内における所定領域の動きを複数フレームの入力画像信号を用いて検出するものとし、
前記検出された動きに基づいて、前記所定領域を分類して分類結果を示す情報を生成するものとし、
前記分類情報と前記複数フレームの入力画像信号に基づいて、前記入力画像信号中の注目フレームと同一時間であると共に、前記注目フレームの画像と画角の異なる周辺画像の画像信号を生成する
ことを特徴とする画像信号生成方法。
【請求項１６】
少なくとも１つの拘束条件を満たす動きを生ずる基準動画像を用いて、前記拘束条件を利用することにより前記基準動画像の画面毎に画像端部領域の動きを検出するものとし、
検出された動きに基づき、前記画像端部領域の画像信号を用いて信号処理を行い、前記基準動画像と同一時間であると共に、前記基準動画像に対応した周辺動画像の画像信号を生成する
ことを特徴とする画像信号生成方法。
【請求項１７】
前記信号処理は、画面順序に応じてなされる
ことを特徴とする請求項１６記載の画像信号生成方法。
【請求項１８】
コンピュータに、
特定の平面上に形成した画像内における所定領域の動きを複数フレームの入力画像信号を用いて検出する処理と、
前記検出された動きに基づいて、前記所定領域を分類して分類結果を示す情報を生成する処理と、
前記分類情報と前記複数フレームの入力画像信号に基づいて、前記入力画像信号中の注目フレームと同一時間であると共に、前記注目フレームの画像と画角の異なる周辺画像の画像信号を生成する処理とを実行させる
ことを特徴とする画像処理プログラム。
【請求項１９】
コンピュータに、
少なくとも１つの拘束条件を満たす動きを生ずる基準動画像を用いて、前記拘束条件を利用することにより前記基準動画像の画面毎に画像端部領域の動きを検出する第１の処理と、
検出された動きに基づき、前記画像端部領域の画像信号を用いて信号処理を行い、前記基準動画像と同一時間であると共に、前記基準動画像に対応した周辺動画像の画像信号を生成する第２の処理とを含む処理を実行させる
ことを特徴とする画像処理プログラム。
【請求項２０】
コンピュータに、
特定の平面上に形成した画像内における所定領域の動きを複数フレームの入力画像信号を用いて検出する処理と、
前記検出された動きに基づいて、前記所定領域を分類して分類結果を示す情報を生成する処理と、
前記分類情報と前記複数フレームの入力画像信号に基づいて、前記入力画像信号中の注目フレームと同一時間であると共に、前記注目フレームの画像と画角の異なる周辺画像の画像信号を生成する処理とを実行させるプログラムをコンピュータ読み取り可能に記録した
ことを特徴とする情報記録媒体。
【請求項２１】
コンピュータに、
少なくとも１つの拘束条件を満たす動きを生ずる基準動画像を用いて、前記拘束条件を利用することにより前記基準動画像の画面毎に画像端部領域の動きを検出する第１の処理と、
検出された動きに基づき、前記画像端部領域の画像信号を用いて信号処理を行い、前記基準動画像と同一時間であると共に、前記基準動画像に対応した周辺動画像の画像信号を生成する第２の処理とを含む処理を実行させるプログラムをコンピュータ読み取り可能に記録した
ことを特徴とする情報記録媒体。
【手続補正２】
【補正対象書類名】明細書
【補正対象項目名】０００８
【補正方法】変更
【補正の内容】
【０００８】
【課題を解決するための手段】
この発明に係る画像処理装置は、特定の平面上に形成した画像内における所定領域の動きを複数フレームの入力画像信号を用いて検出する動き検出手段と、動き検出手段で検出された動きに基づいて、所定領域を分類して分類結果を示す情報を生成するレイヤ化処理手段と、分類情報と複数フレームの入力画像信号に基づいて、入力画像信号中の注目フレームと同一時間であると共に、注目フレームの画像と画角の異なる周辺画像の画像信号を生成する周辺画像信号生成手段とを有するものである。
【手続補正３】
【補正対象書類名】明細書
【補正対象項目名】０００９
【補正方法】変更
【補正の内容】
【０００９】
また、画像処理装置は、少なくとも１つの拘束条件を満たす動きを生ずる基準動画像の画像信号を用いて、拘束条件を利用することにより基準動画像の画面毎に画面内の画像端部領域の動きを検出する動き検出手段と、動き検出手段で検出された動きに基づいて、前記所定領域のレイヤを決定してレイヤ情報を生成するレイヤ化処理手段と、レイヤ化処理手段で生成されたレイヤ情報と画像端部領域の画像信号を用いて信号処理を行い、基準動画像と同一時間であると共に、基準動画像に対応した周辺動画像の画像信号を生成する周辺画像生成手段とを備えるものである。
【手続補正４】
【補正対象書類名】明細書
【補正対象項目名】００１０
【補正方法】変更
【補正の内容】
【００１０】
この発明に係る画像信号生成方法は、特定の平面上に形成した画像内における所定領域の動きを複数フレームの入力画像信号を用いて検出するものとし、検出された動きに基づいて、所定領域を分類して分類結果を示す情報を生成するものとし、分類情報と複数フレームの入力画像信号に基づいて、入力画像信号中の注目フレームと同一時間であると共に、注目フレームの画像と画角の異なる周辺画像の画像信号を生成するものである。
【手続補正５】
【補正対象書類名】明細書
【補正対象項目名】００１１
【補正方法】変更
【補正の内容】
【００１１】
また、画像信号生成方法は、少なくとも１つの拘束条件を満たす動きを生ずる基準動画像を用いて、拘束条件を利用することにより基準動画像の画面毎に画像端部領域の動きを検出するものとし、検出された動きに基づき、画像端部領域の画像信号を用いて信号処理を行い、基準動画像と同一時間であると共に、基準動画像に対応した周辺動画像の画像信号を生成するものである。
【手続補正６】
【補正対象書類名】明細書
【補正対象項目名】００１２
【補正方法】変更
【補正の内容】
【００１２】
この発明に係る画像処理プログラムは、コンピュータに、特定の平面上に形成した画像内における所定領域の動きを複数フレームの入力画像信号を用いて検出する処理と、検出された動きに基づいて、所定領域を分類して分類結果を示す情報を生成する処理と、分類情報と複数フレームの入力画像信号に基づいて、入力画像信号中の注目フレームと同一時間であると共に、注目フレームの画像と画角の異なる周辺画像の画像信号を生成する処理とを実行させるものである。
【手続補正７】
【補正対象書類名】明細書
【補正対象項目名】００１３
【補正方法】変更
【補正の内容】
【００１３】
また、画像処理プログラムは、コンピュータに、少なくとも１つの拘束条件を満たす動きを生ずる基準動画像を用いて、拘束条件を利用することにより基準動画像の画面毎に画像端部領域の動きを検出する第１の処理と、検出された動きに基づき、画像端部領域の画像信号を用いて信号処理を行い、基準動画像と同一時間であると共に、基準動画像に対応した周辺動画像の画像信号を生成する第２の処理とを含む処理を実行させるものである。
【手続補正８】
【補正対象書類名】明細書
【補正対象項目名】００１４
【補正方法】変更
【補正の内容】
【００１４】
この発明に係る情報記録媒体は、コンピュータに、特定の平面上に形成した画像内における所定領域の動きを複数フレームの入力画像信号を用いて検出する処理と、検出された動きに基づいて、所定領域を分類して分類結果を示す情報を生成する処理と、分類情報と複数フレームの入力画像信号に基づいて、入力画像信号中の注目フレームと同一時間であると共に、注目フレームの画像と画角の異なる周辺画像の画像信号を生成する処理とを実行させるプログラムをコンピュータ読み取り可能に記録したものである。
【手続補正９】
【補正対象書類名】明細書
【補正対象項目名】００１５
【補正方法】変更
【補正の内容】
【００１５】
また、情報記録媒体は、コンピュータに、少なくとも１つの拘束条件を満たす動きを生ずる基準動画像を用いて、拘束条件を利用することにより基準動画像の画面毎に画像端部領域の動きを検出する第１の処理と、検出された動きに基づき、画像端部領域の画像信号を用いて信号処理を行い、基準動画像と同一時間であると共に、基準動画像に対応した周辺動画像の画像信号を生成する第２の処理とを含む処理を実行させるプログラムをコンピュータ読み取り可能に記録したものである。